(57)【要約】【課題】カメラにおいて、外観デザインの自由度や外観部品配置の自由度を妨げないように光発電素子を配置する。【解決手段】被写体５の像を結像させる撮影レンズ１０およびこの撮影レンズ１０によって結像された被写体５の像を記録する記録部１５を備えたカメラ１０１内の、上記撮影レンズ１０を通して入射した光Ｌｗを受光可能な位置に、カメラ電力供給用の発電を行なう光発電素子２５Ａを備える。【選択図】図３
2007199136.tif 000002
【特許請求の範囲】
【請求項１】
被写体の像を結像させる撮影レンズと、前記撮影レンズによって結像された前記被写体の像を記録する記録手段とを備えたカメラであって、
カメラ電力供給用の発電を行なう光発電素子を、カメラ内の、前記撮影レンズを通して入射した光を受光可能な位置に備えたことを特徴とするカメラ。
【請求項２】
前記カメラが、前記被写体の像を結像させる光路を遮断するシャッタを備えたものであり、前記光発電素子が、前記シャッタ上の前記光の入射側に配されていることを特徴とする請求項１記載のカメラ。
【請求項３】
前記カメラが、リターンミラー機構を構成するレフレックスハーフミラーを備えたものであり、前記光発電素子が、前記レフレックスハーフミラーの反射面の側とは反対側に位置する該レフレックスハーフミラーの裏面に、かつ、前記レフレックスハーフミラーを透過した前記光を受光可能な位置に配置されていることを特徴とする請求項１記載のカメラ。
【請求項４】
前記リターンミラー機構が、前記レフレックスハーフミラーの反射面を、前記撮影レンズの光軸に対して略直交するように配置可能なものであることを特徴とする請求項３記載のカメラ。
【請求項５】
前記カメラが、リターンミラー機構を構成するレフレックスミラーを備え、該リターンミラー機構が、前記レフレックスミラーの反射面の側とは反対側に位置する該レフレックスミラーの裏面を前記撮影レンズを通った光の入射側にせしめるように該レフレックスミラーを回動可能なものであり、
前記光発電素子が、前記レフレックスミラーの前記裏面に、かつ、前記レフレックスミラーの前記回動状態において前記光を受光可能な位置に配置されていることを特徴とする請求項１記載のカメラ。
【発明の詳細な説明】
【技術分野】
【０００１】
本発明は、被写体の像を結像させる撮影レンズと上記撮影レンズによって結像された被写体の像を記録する記録手段とを備えたカメラに関するものである。
【背景技術】
【０００２】
従来より、被写体の像を結像させる撮影レンズとこの撮影レンズによって結像された被写体の像を記録する記録手段とを備えたカメラが知られている。また、カメラの外観部に配置された光発電素子からの電力供給を受けて撮影データの表示等を行なうカメラも知られている（特許文献１参照）。なお、上記光発電素子は、この光発電素子の設置面積を大きくするほどより大きな電力を得ることができる。
【特許文献１】特開平７−２７０８５４号公報
【発明の開示】
【発明が解決しようとする課題】
【０００３】
しかしながら、上記カメラ外観部に配置された光発電素子は、カメラのデザインの自由度を制限したり、あるいはシャッタボタン等の外観部に配される部品の配置の自由度を制限したりするため、この光発電素子の外観部への設置面積を小さくしたいという要請がある。
【０００４】
本発明は、上記事情に鑑みてなされたものであり、外観デザインの自由度や外観部品配置の自由度を妨げないように光発電素子を配置することができるカメラを提供することを目的とするものである。
【課題を解決するための手段】
【０００５】
本発明のカメラは、被写体の像を結像させる撮影レンズと、この撮影レンズによって結像された被写体の像を記録する記録手段とを備えたカメラであって、カメラ電力供給用の発電を行なう光発電素子を、カメラ内の、前記撮影レンズを通して入射した光を受光可能な位置に備えたことを特徴とするものである。
【０００６】
前記カメラを、前記被写体の像を結像させる光路を遮断するシャッタを備えたものとし、前記光発電素子は、シャッタ上の前記撮影レンズを通して入射した光の入射側に配されたものとすることができる。
【０００７】
前記カメラを、リターンミラー機構を構成するレフレックスハーフミラーを備えたものとし、前記光発電素子は、レフレックスハーフミラーの反射面の側とは反対側に位置するこのレフレックスハーフミラーの裏面に、かつ、前記レフレックスハーフミラーを透過した前記撮影レンズを通して入射した光を受光可能な位置に配置されたものとすることができる。
【０００８】
前記リターンミラー機構は、レフレックスハーフミラーの反射面を、撮影レンズの光軸に対して略直交するように配置可能なものとすることができる。
【０００９】
前記カメラを、リターンミラー機構を構成するレフレックスミラーを備えたものとし、このリターンミラー機構を、レフレックスミラーの反射面の側とは反対側に位置するこのレフレックスミラーの裏面を撮影レンズを通った光の入射側にせしめるように前記レフレックスミラーを回動可能なものとし、光発電素子は、レフレックスミラーの裏面に、かつ、レフレックスミラーの前記回動状態において前記撮影レンズを通った光を受光可能な位置に配置されたものとすることができる。
【００１０】
前記リターンミラー機構は、撮影レンズを通った被写体の像を担持した光を記録部に伝播させる場合と、上記撮像レンズを通った被写体の像を担持した光を上記記録部以外に伝播させる場合、例えば上記被写体の像を目視観察するためのファインダ部に伝播させる場合とを切り替える機構である。
【００１１】
前記リターンミラー機構を構成するレフレックスミラーは、入射せしめられた光を反射するものであり、撮影レンズの光軸に対する自身の角度が切り替えられて、撮影レンズを通った光を記録部に伝播させる場合と上記光をファインダ部に伝播させる場合とを切り替えるものである。
【００１２】
前記リターンミラー機構を構成するレフレックスハーフミラーは、入射せしめられた光の一部を反射し一部を透過させるものであり、撮影レンズの光軸に対する自身の角度が切り替えられて、上記撮影レンズを通った光を記録部に伝播させる場合と上記光をファインダ部に伝播させる場合とを切り替えるものである。
【００１３】
前記記録手段は、被写体の像を撮像してこの被写体の像を示す電気的な信号を記録する撮像部、あるいは被写体の像を感光材料に露光してこの被写体の像を感光材料に記録するもの等とすることができる。
【００１４】
前記カメラ電力供給用の発電とは、このカメラを用いた撮影に利用する電力を供給するための発電を意味するものであり、撮影レンズによって結像させた被写体の像の明るさを測光する光電変換素子での発電を除いたものを意味するものである。上記カメラ電力供給用の発電としては、例えば、撮影データを表示させる電力や撮影レンズのフォーカス用駆動部を駆動させる電力を供給するための発電等を挙げることができる。
【発明の効果】
【００１５】
本発明のカメラによれば、カメラ電力供給用の発電を行なう光発電素子を、カメラ内の、撮影レンズを通して入射した光を受光可能な位置に備えるようにしたので、外観デザインの自由度や外観部に配される部品配置の自由度を妨げないように光発電素子を配置することができる。
【００１６】
また、撮影レンズを通って入射した光の集光位置に光発電素子を配置すれば、光発電素子による単位面積当りの発電量を増大させることができ発電効率を高めることができる。
【００１７】
また、カメラが、被写体の像を結像させる光路を遮断するシャッタを備えたものであり、光発電素子が、上記シャッタ上の光の入射側に配されているものとすれば、より確実に、外観デザインの自由度や外観部の部品配置の自由度を妨げないように光発電素子を配置することができ、また、より確実に光発電素子を上記光の集光位置に配置することができるので、この光発電素子の発電効率を高めることができる。
【００１８】
ここで、カメラが、リターンミラー機構を構成するレフレックスハーフミラーを備えたものであり、光発電素子が、レフレックスハーフミラーの反射面の側とは反対側に位置するこのレフレックスハーフミラーの裏面に、かつ、レフレックスハーフミラーを透過した光を受光可能な位置に配置されているものとすれば、より確実に、外観デザインの自由度や外観部の部品配置の自由度を妨げないように光発電素子を配置することができる。さらに、リターンミラー機構を、レフレックスハーフミラーの反射面を撮影レンズの光軸に対して略直交するように配置可能なものとすれば、光発電素子による単位面積当りの発電量を増大させることができ発電効率を高めることができる。
【００１９】
また、カメラが、リターンミラー機構を構成するレフレックスミラーを備え、リターンミラー機構を、レフレックスミラーの反射面の側とは反対側に位置するこのレフレックスミラーの裏面を、撮影レンズを通った光の入射側にせしめるように上記レフレックスミラーを回動可能なものとし、光発電素子をレフレックスミラーの裏面に、かつ、レフレックスミラーの回動した状態において上記撮影レンズを通った光を受光可能な位置に配置されたものとすれば、より確実に、外観デザインの自由度や外観部の部品配置の自由度を妨げないように光発電素子を配置することができる。
【発明を実施するための最良の形態】
【００２０】
以下、本発明の実施の形態について、図面を用いて説明する。図１から図４は本発明の第１の実施の形態によるカメラの概略構成を示す図である。図１は上記カメラの後述するミラーダウン状態を示す側面断面図である。図２はリターンミラー機構を示す図であり、図２（ａ）は撮影レンズを通った光をファインダ部に伝播させるミラーダウン状態の配置を示す斜視図、図２（ｂ）は撮影レンズを通った光を撮像部に伝播させる後述するミラーアップ状態の配置を示す斜視図、図２（ｃ）は枠を回転させることなくレフレックスミラーのみを回転させた様子を示す斜視図である。図３はミラーアップ状態を示す側面断面図、図４は枠を回転させることなくレフレックスミラーのみを回転させた様子を示す側面断面図である。
【００２１】
図１に示す本発明の第１の実施の形態によるカメラ１０１は、被写体５の像を結像させる撮影レンズ１０と、撮影レンズ１０によって結像させた被写体５の像を記録する記録手段である撮像部１５と、被写体５の像を目視観察するためのファインダ部２０とを備え、カメラ電力供給用の発電を行なう光発電素子２５Ａ、２５Ｂ（以後、まとめて光発電素子２５ともいう）を、カメラ１０１内の、撮影レンズ１０を通して入射した光Ｌｗを受光可能な位置に備えている。
【００２２】
撮像部１５は、撮影レンズ１０を通して結像された被写体５の像を撮像するＣＣＤ等の撮像素子を備えたものであるが、上記像５を露光する感光フィルムを配置する構成等を採用することもできる。
【００２３】
カメラ１０１は、さらに、上記撮影レンズ１０を通過した光Ｌｗを撮像部１５の方向に伝播させる場合と、上記光Ｌｗをファインダ部２０の方向に伝播させる場合とを切り替えるリターンミラー機構３０、被写体５の像を撮像部１５上に結像させる光路を遮断したり開放したりするシャッタ４０、光発電素子２５で発電した電力を蓄えるカメラ電力供給用の２次電池２９を備えている。２次電池２９に蓄えられた電力は、カメラ電力供給用として、例えば撮影データ表示用の電装基板や種々の機構駆動用の電装基板に供給される。
【００２４】
リターンミラー機構３０は、図１および図２（ａ）、（ｂ）、（ｃ）に示すように上記撮影レンズ１０を通った光Ｌｗをファインダ部２０へ向けて反射させるレフレックスミラー３１と、レフレックスミラー３１を支持するための枠３２と、枠３２の一端を図中のＸ軸方向の回りに回転可能に支持する枠支持軸３３と、枠支持軸３３の周りに枠３２を回転駆動させる枠回転駆動部３４とを備えている。さらに、長方形形状を成すレフレックスミラー３１の互いに対向する２辺であって、図中Ｙ―Ｚ平面に平行な上記長方形形状を構成する２辺の略中央でこのレフレックスミラー３１を支持するとともに、上記レフレックスミラー３１を上記Ｘ軸方向の回りに回転可能とするミラー支持軸３２Ｊと、ミラー支持軸３２Ｊの周りにレフレックスミラー３１を回転駆動させる上記枠３２に固定されたミラー回転駆動部３２Ｋとを備えている。
【００２５】
上記のようなリターンミラー機構３０の構成により、レフレックスミラー３２は、枠支持軸３３の回りに回転可能に支持されるとともに、ミラー支持軸３２Ｊの周りにも回転可能に支持されている。
【００２６】
そして、ミラー支持軸３２Ｊの周りにレフレックスミラー３１を回転させることなく、枠支持軸３３の周りに枠３２を回転させて撮影レンズ１０の光軸Ｃに対するレフレックスミラー３１の反射面Ｒａの角度を変更させることにより、上記撮影レンズ１０を通った光Ｌｗを撮像部１５に伝播させる場合（図２（ｂ）、図３参照）と、ファインダ部２０に伝播させる場合（図１および図２（ａ）参照）とを切り替える。
【００２７】
すなわち、図１および図２（ａ）に示すように枠３２およびレフレックスミラー３１の反射面Ｒが撮影レンズ１０の光軸に対して４５°の角度で交わるように位置する場合（ミラーダウン状態の場合）には、撮影レンズ１０を通った上記被写体５の像を担持した光Ｌｗは、上記レフレックスミラー３１の反射面Ｒａで反射せしめられ光路が直角に折り曲げられてファインダ部２０へ向かう方向へ伝播せしめられる。
【００２８】
一方、図３および図２（ｂ）に示すように、上記枠３２の回転により枠支持軸３３の周りにレフレックスミラー３１を回転させて、このレフレックスミラー３１の反射面Ｒａが撮影レンズ１０の光軸Ｃに対して平行となるように位置する場合（ミラーアップ状態の場合）には、撮影レンズ１０を通った上記被写体５の像を担持した光Ｌｗは撮像部１５へ向かう方向へ伝播せしめられる。
【００２９】
これに対して、図４および図２（ｃ）に示すように、ミラーダウン状態から、枠支持軸３３の回りに枠３２を回転させることなくミラー支持軸３２Ｊの周りにのみレフレックスミラー３１を回転させてこのレフレックスミラー３１の向きを回動させることにより、撮影レンズ１０を通過した光Ｌｗをレフレックスミラー３１の裏面Ｕａに配置した光発電素子２５Ｂへ入射させることができる。
【００３０】
すなわち、リターンミラー機構３０は、レフレックスミラー３１の反射面Ｒａの側とは反対側に位置するこのレフレックスミラー３１の裏面Ｕａを、撮影レンズ１０を通った光Ｌｗの入射側にせしめるように上記レフレックスミラー３１を回動させることができる。ここで、光発電素子２５Ｂは、レフレックスミラー３１Ａの裏面Ｕａに、かつ、レフレックスミラー３１の上記回動状態においてこの光発電素子２５Ｂの受光面Ｓａが撮影レンズを通った光Ｌｗを直接受光可能な位置に位置する。
【００３１】
なお、上記レフレックスミラー３１の回動は、図１に示すレフレックスミラー３１の反射面Ｒａが撮影レンズ１０の光軸に対して４５°の角度で交わるように位置するミラーダウン状態から、反時計周り方向に１３５°回転させたり、あるいは時計回り方向に２２５°回転させて光発電素子２５Ｂの受光面Ｓａが撮影レンズ１０の光軸Ｃと直交するように位置させることができ、これにより、光発電素子２５Ｂがより高い効率で光発電を行うことができる。
【００３２】
上記シャッタ４０上の上記光Ｌｗの入射側４０Ａに配された光発電素子２５Ａは、図３に示すように、ミラーアップ状態において撮影レンズ１０を通った光Ｌｗを受光して光発電を行なう。なお、光発電素子２５Ａで発電された電力も上記２次電池２９に蓄えられる。
【００３３】
シャッタ４０は、シャッタが切られたときに、図中Ｘ−Ｙ平面と平行に配置された２枚のシャッタ幕４０Ｍの間に形成された図中Ｙ方向に延びるスリット開口を図中Ｘ方向へ移動させる。これにより、撮像部１５の撮像面１５Ｓに被写体５の像を担持した光Ｌｗが順次入射し、撮影レンズ１０を通して撮像面１５Ｓ上に結像せしめられた被写体５の像が撮像される。
【００３４】
上記光発電素子２５Ａは、上記シャッタ幕４０Ｍの撮影レンズ１０の側に固定されているものである。
【００３５】
なお、ファインダ部２０はレフレックスミラー３１で反射された上記被写体５の像を上下左右に反転させるペンタプリズム２１と、ペンタプリズム２１で反転された上記像を目視可能に結像させる接眼光学系２２とから構成されている。
【００３６】
以下、上記カメラ１０１が備える各光発電素子の動作について説明する。
【００３７】
光発電素子２５Ａで発電が行なわれるのは、レフレックスミラー３１がミラーアップ状態で、かつ、シャッタ幕４０Ｍが撮像面１５Ｓ上に存在するときである。このような場合には、ファインダを通して被写体を目視することができない。したがって、例えば、ユーザがこのカメラ１０１で撮影しない上記カメラ１０１の保管時に、ユーザがレフレックスミラー３１をミラーアップ状態にしておくことにより、光発電素子２５Ａで発電を行なうことができ、その発電された電力は２次電池２９に蓄積される。
【００３８】
上記ミラーアップさせるときには、カメラ電源がＯＮ状態でも、ＯＦＦ状態でもよいが、例えば電源がＯＦＦになりカメラ１０１が保管状態となったときに自動的にミラーアップ状態となり、電源がＯＮになりカメラ１０１が使用可能状態となったときに自動的にミラーダウン状態となるように構成してもよい。
【００３９】
これに対して、他方の光発電素子２５Ｂで発電が行なわれるのは、レフレックスミラー３１が上記回動状態となったときである。このような場合には、上記と同様にファインダを通して被写体を目視できず、また被写体の像を撮像部１５で撮像することもできない。したがって、上記と同様にこのカメラ１０１の保管時に、ユーザがレフレックスミラー３１を回動状態にしておくことにより、光発電素子２５Ｂで発電を行なうことができ、その発電された電力は上記と同様に２次電池２９に蓄積される。
【００４０】
上記レフレックスミラー３１を回動状態にさせるときには、カメラ電源がＯＮ状態でも、ＯＦＦ状態でもよいが、例えば電源がＯＦＦになりカメラ１０１が保管状態となったときに自動的にレフレックスミラー３１が回動状態となり、電源がＯＮになりカメラ１０１が使用可能状態となったときに自動的に上記レフレックスミラー３１の回動状態からミラーダウン状態に戻るように構成してもよい。
【００４１】
なお、光発電素子２５Ａ，２５Ｂは両方共に備える場合に限らず、いずれか一方のみを備えるようにしてもよい。光発電素子２５Ｂを備えない場合には上記レフレックスミラー３１を回動させる機構は不要となる。
【００４２】
上記以外のカメラ１０１の動作は、従来より知られている通常のカメラの動作と同様であり、ここでの説明は省略する。
【００４３】
以下、本発明の第２の実施の形態によるカメラについて説明する。第２の実施の形態のカメラは、上述の第１の実施の形態のカメラが備えるリターンミラー機構のレフレックスミラーをハーフミラーからなるレフレックスハーフミラーに変更するとともに、光発電素子の受光面の位置とこの光発電素子で発電を行なう際のレフレックスハーフミラーの回転位置とを変更したものである。
【００４４】
その他の構成および動作は上記第１の実施の形態と同様である。なお、第1の実施の形態に係るカメラと同一の構成要素には同一の参照符号を付して、その詳細な説明は省略する。
【００４５】
図５から図７は本発明の第２の実施の形態によるカメラの概略構成を示す図である。図５は上記カメラのミラーダウン状態を示す側面断面図、図６はミラー支持軸の周りにレフレックスハーフミラーを回転させることなく枠支持軸の周りにのみ枠を回転させて撮影レンズの光軸に対して光発電素子の受光面を直交させた状態を示す側面断面図、図７は枠支持軸の周りにレフレックスハーフミラーを回転させることなくミラー支持軸の周りにのみレフレックスハーフミラーを回転させて撮影レンズの光軸に対して光発電素子の受光面を直交させた状態を示す側面断面図である。
【００４６】
上記カメラ１０２が備える、上記レフレックスハーフミラー３５を有するリターンミラー機構３０Ｈにおいては、光発電素子２５Ｃが、上記レフレックスハーフミラー３５の反射面Ｒｂの側とは反対側に位置するこのレフレックスハーフミラー３５の裏面Ｕｂに、かつ、レフレックスハーフミラー３１Ｂを透過した光Ｌｗを受光可能に配置されている。なお、ここでは、光発電素子２５Ｃで光発電するために上記光Ｌｗを受光する受光面Ｓｂはレフレックスハーフミラー３５の側となる。
【００４７】
このリターンミラー機構３０Ｈは、図６あるいは図７に示すようにレフレックスハーフミラー３５の反射面Ｒｂを、撮影レンズ１０の光軸Ｃに対して略直交するように配置させることも可能である。
【００４８】
以下、上記カメラ１０２が備える光発電素子の動作について説明する。
【００４９】
光発電素子２５Ｃで発電が行なわれるのは、レフレックスハーフミラー３５がミラーアップ状態以外の状態となっているときである。
【００５０】
例えば、図５に示すようにレフレックスハーフミラー３５がミラーダウン状態の場合には、ファインダ部２０を通して被写体の像を目視観察することができる。また、レフレックスハーフミラー３５をこの位置からクイックリターンさせると共にシャッタ４０を動作させて撮影を行なうこともできる。したがって、例えば、ユーザがこのカメラ１０２を用いて撮影しようとする状態であっても、あるいはカメラ１０２を保管している状態であっても、上記ミラーアップ時以外は撮影レンズ１０から光Ｌｗが入射しさえすれば、光発電素子２５Ｃはレフレックスハーフミラー３５を通った上記光Ｌｗの受光により発電を行なうことができる。例えば、光透過材料で形成したレンズキャップをこの撮影レンズ１０に採用すれば、明るい場所においては常に光発電素子２５Ｃで発電することができる。
【００５１】
また、ミラーダウン状態から、例えば図６に示すように、ミラー支持軸３２Ｊの周りにレフレックスハーフミラー３５を回転させることなく、枠支持軸３３の周りにのみ枠３２を回転させて、撮影レンズ１０の光軸Ｃに対するレフレックスハーフミラー３５の反射面Ｒｂの角度を略９０°にした場合には、光発電素子２５Ｃにより上記ミラーダウン状態の場合より高い効率で光発電を行うことができる。
【００５２】
また、ミラーダウン状態から、例えば図７に示すように、枠支持軸３３の回りに枠３２を回転させることなく、ミラー支持軸３２Ｊの周りにのみレフレックスハーフミラー３５を回転させて、上記光軸Ｃに対するレフレックスハーフミラー３５の反射面Ｒｂの角度を略９０°にした場合にも、光発電素子２５Ｃにより上記ミラーダウン状態の場合より高い効率で光発電を行うことができる。
【００５３】
なお、ミラーダウン状態から外れた状態で光発電を行なう上記各場合には、ファインダ部２０を通して被写体を目視することも被写体の像を撮像部１５で撮像することもできない。したがって、カメラ２０２の使用状況に応じて、ユーザがレフレックスハーフミラー３５の反射面Ｒｂを上記撮影レンズ１０の光軸Ｃと直交させるように操作する。
【００５４】
上記反射面Ｒｂを光軸Ｃと直交させる操作は、カメラ電源がＯＮ状態でも、ＯＦＦ状態でもよいが、例えば電源がＯＦＦになりカメラ１０２が保管状態となったときに自動的にレフレックスハーフミラー３５の反射面Ｒｂを撮影レンズ１０の光軸Ｃと直交させ、電源がＯＮになりカメラ１０２が使用可能状態となったときに自動的に上記レフレックスハーフミラー３５の状態を元のミラーダウン状態に戻すようにしてもよい。
【００５５】
なお、ミラー支持軸３２Ｊの周りにレフレックスハーフミラー３５を回転させレフレックスハーフミラー３５の反射面Ｒｂを撮影レンズ１０の光軸Ｃと直交させる機構、および枠支持軸３３の周りに枠３２を回転させレフレックスハーフミラー３５の反射面Ｒｂを撮影レンズ１０の光軸Ｃと直交させる機構を両方共に備える場合に限らず、いずれか一方の機構のみを備えるようにしてもよい。
【００５６】
さらに、上記いずれの機構をも備えることなく、上記ミラーアップ状態とミラーダウン状態とを切り替える機構のみを備えるようにしてもよい。
【００５７】
上記以外のカメラ１０２の動作も従来より知られている通常のカメラと同様であり、ここでの説明は省略する。
【００５８】
上記のように、本発明によれば、カメラの外観デザインの自由度や外観部の部品配置の自由度を妨げないように光発電素子を配置することができる。
【図面の簡単な説明】
【００５９】
【図１】本発明の第１の実施の形態のカメラのミラーダウン状態を示す側面断面図
【図２】図２（ａ）は撮影レンズを通った光をファインダ部に伝播させるミラーダウン状態のリターンミラー機構を示す斜視図、図２（ｂ）は撮影レンズを通った光を撮像部に伝播させるミラーアップ状態のリターンミラー機構を示す斜視図、図２（ｃ）は枠を回転させることなくレフレックスミラーのみを回転させたときのリターンミラー機構を示す斜視図
【図３】ミラーアップ状態を示す側面断面図
【図４】枠を回転させることなくレフレックスミラーのみを回転させた様子を示す側面断面図
【図５】本発明の第２の実施の形態のカメラのミラーダウン状態を示す側面断面図
【図６】枠支持軸の周りにのみ枠を回転させて撮影レンズの光軸に対して光発電素子の受光面を直交させた状態を示す側面断面図
【図７】ミラー支持軸の周りにのみレフレックスハーフミラーを回転させて撮影レンズの光軸に対して光発電素子の受光面を直交させた状態を示す側面断面図
【符号の説明】
【００６０】
５    被写体
１０    撮影レンズ
１５    記録部
２０    ファインダ部
２５Ａ    光発電素子
２５Ｂ    光発電素子
２９    ２次電池
３０    リターンミラー機構
４０    シャッタ
１０１    カメラ
Ｌｗ    光
【図１】
2007199136.tif 000003
【図２】
2007199136.tif 000004
【図３】
2007199136.tif 000005
【図４】
2007199136.tif 000006
【図５】
2007199136.tif 000007
【図６】
2007199136.tif 000008
【図７】
2007199136.tif 000009